(57)【特許請求の範囲】
【請求項１】
インターネットプロトコルバージョン４（ＩＰＶ４）とインターネットプロトコルバージョン６（ＩＰＶ６）のハイブリッドネットワーキングを実現する方法であって、
フェムトセルはフェムトセルゲートウェイにより移動管理エンティティＭＭＥにリンクし、且つユーザプレーンは前記フェムトセルゲートウェイによらず、
前記方法は、
前記フェムトセルは、所属するインターネットプロトコルＩＰタイプをフェムトセルゲートウェイに送信し、前記所属するインターネットプロトコルＩＰタイプは、前記フェムトセルがＩＰＶ４又はＩＰＶ６をサポートするものであることと、
前記フェムトセルは、前記フェムトセルゲートウェイが送信したＩＰアドレスを取得し、前記フェムトセルゲートウェイは、前記フェムトセルのＩＰタイプに基づいて、前記ＭＭＥが送信したＩＰＶ４アドレス及びＩＰＶ６アドレスからマッチングするＩＰアドレスを選択し、前記ＩＰアドレスを前記フェムトセルに送信することと、
前記ＩＰアドレスに基づいてＭＭＥとのサービスベアラを確立することと、を含むことを特徴とするインターネットプロトコルバージョン４（ＩＰＶ４）とインターネットプロトコルバージョン６（ＩＰＶ６）のハイブリッドネットワーキングを実現する方法。
【請求項２】
前記フェムトセルが、所属するＩＰタイプをフェムトセルゲートウェイに送信することは、
前記フェムトセルは、所属するＩＰタイプをＳ１メッセージにより前記フェムトセルゲートウェイに送信することを含む請求項１に記載の方法。
【請求項３】
前記Ｓ１メッセージは、Ｓ１インタフェース公衆メッセージであり、前記Ｓ１インタフェース公衆メッセージは、Ｓ１確立要求、基地局設定更新のうちの１つであり、
又は、
前記Ｓ１メッセージは、Ｓ１インタフェースユーザ装置ＵＥ専用メッセージであり、前記Ｓ１インタフェースユーザ装置ＵＥ専用メッセージは、ＵＥメッセージ初期化、パス切替要求のうちの１つである請求項２に記載の方法。
【請求項４】
フェムトセルゲートウェイに適用されるインターネットプロトコルバージョン４（ＩＰＶ４）とインターネットプロトコルバージョン６（ＩＰＶ６）のハイブリッドネットワーキングを実現する方法であって、
フェムトセルは前記フェムトセルゲートウェイにより移動管理エンティティにリンクし、且つユーザプレーンは前記フェムトセルゲートウェイによらず、
前記方法は、
フェムトセルゲートウェイは、フェムトセルが所属するＩＰタイプを取得し、前記所属するインターネットプロトコルＩＰタイプは、前記フェムトセルがＩＰＶ４又はＩＰＶ６をサポートするものであることと、
移動管理エンティティＭＭＥが送信したＩＰＶ４アドレス及び/又はＩＰＶ６アドレスを取得することと、
前記フェムトセルゲートウェイは、前記フェムトセルが所属するＩＰタイプにマッチングするＩＰアドレスをフェムトセルに送信することと、を含み、
前記フェムトセルゲートウェイが、前記ＩＰタイプにマッチングするＩＰアドレスをフェムトセルに送信することは、
前記フェムトセルゲートウェイは、ＭＭＥが送信したＩＰＶ４アドレス及びＩＰＶ６アドレスを受信することと、
前記フェムトセルが所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセルに送信することと、を含むことを特徴とするインターネットプロトコルバージョン４（ＩＰＶ４）とインターネットプロトコルバージョン６（ＩＰＶ６）のハイブリッドネットワーキングを実現する方法。
【請求項５】
インターネットプロトコルバージョン４（ＩＰＶ４）とインターネットプロトコルバージョン６（ＩＰＶ６）のハイブリッドネットワーキングを実現する方法であって、
フェムトセルはフェムトセルゲートウェイにより移動管理エンティティにリンクし、且つユーザプレーンは前記フェムトセルゲートウェイによらず、
前記方法は、
ＭＭＥは、割り当てられたＩＰＶ４アドレス及びＩＰＶ６アドレスを取得し、ＩＰＶ４アドレスとＩＰＶ６アドレスとがサービスゲートウェイＳ-ＧＷにより割り当てられることと、
前記ＭＭＥは、フェムトセルゲートウェイにＩＰＶ４アドレス及び/又はＩＰＶ６アドレスを送信することと、を含み、
前記ＭＭＥが、フェムトセルゲートウェイにＩＰＶ４アドレス及び/又はＩＰＶ６アドレスを送信することは、
前記ＭＭＥは、前記割り当てられたＩＰＶ４アドレス及びＩＰＶ６アドレスを前記フェムトセルゲートウェイに送信し、前記フェムトセルゲートウェイは、前記フェムトセルの所属するＩＰタイプに基づいて、前記ＩＰＶ４アドレス及びＩＰＶ６アドレスから、前記ＩＰタイプにマッチングするＩＰＶ４アドレス又はＩＰＶ６アドレスを選択し、前記フェムトセルの所属するＩＰタイプは、前記フェムトセルがＩＰＶ４又はＩＰＶ６をサポートするものであること、を含むことを特徴とするインターネットプロトコルバージョン４（ＩＰＶ４）とインターネットプロトコルバージョン６（ＩＰＶ６）のハイブリッドネットワーキングを実現する方法。
【請求項６】
フェムトセルゲートウェイであって、
フェムトセルはフェムトセルゲートウェイにより移動管理エンティティＭＭＥにリンクし、且つユーザプレーンは前記フェムトセルゲートウェイによらず、
前記フェムトセルゲートウェイは第２受信ユニット及び第２送信ユニットを含み、
前記第２受信ユニットは、フェムトセルが所属するＩＰタイプを受信するように設定され、前記フェムトセルが所属するＩＰタイプは、前記フェムトセルがＩＰＶ４又はＩＰＶ６をサポートするものであり、
前記第２受信ユニットは、ＭＭＥが送信したＩＰＶ４アドレス及び/又はＩＰＶ６アドレスを受信するように更に設定され、
前記第２送信ユニットは、前記第２受信ユニットが受信した、前記フェムトセルが所属するＩＰタイプにマッチングするＩＰアドレスをフェムトセルに送信するように設定され、
前記フェムトセルゲートウェイは第２処理ユニットを更に含み、
前記第２受信ユニットは更に、ＭＭＥが送信したＩＰＶ４アドレス及びＩＰＶ６アドレスを受信し、前記ＩＰＶ４アドレス及びＩＰＶ６アドレスを前記第２処理ユニットに送信するように設定され、
前記第２処理ユニットは、前記第２受信ユニットが受信した、前記フェムトセルが所属するＩＰタイプに基づいて、前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記第２送信ユニットに送信するように設定され、
前記第２送信ユニットは、前記ＩＰＶ４アドレス又はＩＰＶ６アドレスをフェムトセルに送信するように設定されることを特徴とするフェムトセルゲートウェイ。
【請求項７】
コンピュータ実行可能な指令が記憶され、前記コンピュータ実行可能な指令は請求項１〜３のいずれか一項に記載のインターネットプロトコルバージョン４（ＩＰＶ４）とインターネットプロトコルバージョン６（ＩＰＶ６）のハイブリッドネットワーキングを実現する方法を実行するためのものであるコンピュータ記憶媒体。
【請求項８】
コンピュータ実行可能な指令が記憶され、前記コンピュータ実行可能な指令は請求項４に記載のインターネットプロトコルバージョン４（ＩＰＶ４）とインターネットプロトコルバージョン６（ＩＰＶ６）のハイブリッドネットワーキングを実現する方法を実行するためのものであるコンピュータ記憶媒体。
【請求項９】
コンピュータ実行可能な指令が記憶され、前記コンピュータ実行可能な指令は請求項５に記載のインターネットプロトコルバージョン４（ＩＰＶ４）とインターネットプロトコルバージョン６（ＩＰＶ６）のハイブリッドネットワーキングを実現する方法を実行するためのものであるコンピュータ記憶媒体。
【発明の詳細な説明】
【技術分野】
【０００１】
本発明はフェムトセル技術に関し、具体的にハイブリッドネットワーキングを実現する方法、システム、装置及びコンピュータ記憶媒体に関する。
【背景技術】
【０００２】
ロングタームエボリューション（ＬＴＥ、Long Term Evolution）システムは、第３世代移動通信システムに対するエボリューションである。図１は、ＬＴＥシステムのネットワークアーキテクチャ模式図であり、図１に示すように、ＬＴＥシステムは、進化型基地局（ｅＮＢ、Evolved Node B）１１、発展型パケットコア（ＥＰＣ、Evolved Packet Core）１２、及びユーザ装置（ＵＥ、User Equipment）１３の３つの部分からなる。 その中、ＥＰＣは、移動管理エンティティ（ＭＭＥ、Mobility Management Entity）とサービスゲートウェイ（Ｓ-ＧＷ、Serving Gateway）とを含み、発展型汎用陸上無線アクセスネットワーク（Ｅ-ＵＲＴＡＮ、Evolved Universal Terrestrial Radio Access Network）側の複数のｅＮＢ１１は、Ｓ１インタフェースによりＭＭＥ１２１/Ｓ-ＧＷ１２２にアクセスし、各ｅＮＢ１１との間は、Ｘ２インタフェースにより接続する。
【０００３】
マクロネットのネットワーク規模の拡大により、ユーザ数は絶え間なく増加し、ユーザのデータ帯域幅の需要は絶えず増大する。第３世代移動通信技術（３Ｇ、3rd-Generation）ネットワークとＬＴＥネットワークの使用頻度が高く、グローバル移動通信システム（ＧＳＭ、Global System of Mobile Communication）に比べて、信号透過能力が良くないため、屋内カバレッジはネットワーク最適化の難題の１つになり、一般的に屋内分配システムを確立する方式で３Ｇネットワーク又はＬＴＥネットワークの屋内カバレッジを実現する。しかし、現在の条件で、屋内分配システムは一般的に幾つかのホテル、中高級施設又は公衆ホットスポットのみに構築できる。普通の施設にとって、各種の条件の制限により、まだ屋内分配システムを構築できないため、屋内３Ｇ又はＬＴＥ信号は弱くひいては全然無く、ユーザエクスペリエンスに大きな影響を与える。
【０００４】
このため、フェムトセル（Femto）システムが提案され、採用される公衆ブロードバンド又はオペレーター伝送アクセスは、インターネットによりセキュアゲートウェイ及びオペレーターのコアネットワークにアクセスし、ユーザに無線信号カバレッジを提供する。前記フェムトセルシステムは、主にフェムトセルとフェムトセルゲートウェイからなり、フェムトセルは、採用する無線技術の相違によって、３Ｇ規格を採用するフェムトセル（ＨＮＢ、Home Node B）と、ＬＴＥ規格を使用するフェムトセル（ＨｅＮＢ、Home evolved Node B）とに分けられる。
【０００５】
図２は、ＬＴＥ規格のフェムトセルシステムネットワークエレメントアーキテクチャ模式図であり、図２に示すように、ＬＴＥシステムにフェムトセルゲートウェイ（ＨｅＮＢ ＧＷ）２１を導入し、その下で複数のフェムトセル（ＨｅＮＢ）２２がリンクされる。まず、ＨｅＮＢ ＧＷ２１は、Ｓ１リンクにより少なくとも１つのＨｅＮＢ２２に接続し、次に、ＨｅＮＢ ＧＷ２１は、Ｓ１リンクにより更にコアネットワーク装置２３にアクセスし、前記コアネットワーク装置２３は、具体的にＭＭＥであってもよい。また、ＨｅＮＢ２２は、Ｓ１リンクにより直接、コアネットワーク装置２３にアクセスしてもよい。
【０００６】
ＬＴＥシステムにおける各ネットワークエレメントは、ＩＰによりＩＰ類サービスをベアリングし、前記ＩＰベアラは、インターネットプロトコルバージョン４（ＩＰＶ４、Internet Protocol Version 4）であってもよく、インターネットプロトコルバージョン６（ＩＰＶ６、Internet Protocol Version 6）であってもよく、ＩＰＶ４であってもＩＰＶ６であってもにかかわらず、いずれも隣接ネットワークエレメントは同一のＩＰベアラを使用する必要がある。現在、プロトコルＳ１「INITIAL UE MESSAGE」にはＩＰタイプが含まれていなく、ＭＭＥは、Ｓ１シグナリングベアラタイプに基づいて、ユーザに割り当てる必要があるサービスベアラタイプを判断するしかなく、即ちサービスベアラタイプはＳ１シグナリングベアラタイプと同じであり、これは、マクロ基地局又はＨｅＮＢ２２がＭＭＥに直接的に接続する場合は問題がなく、ＨｅＮＢ２２がＨｅＮＢ ＧＷ２１によりＭＭＥに接続する場合は、ＨｅＮＢ ＧＷ２１がＩＰＶ４とＩＰＶ６との間の変換をサポートできる限り、問題もない。しかし、ＨｅＮＢ２２がＨｅＮＢ ＧＷ２１によりＭＭＥにリンクし、且つユーザプレーンがＨｅＮＢ ＧＷ２１によらない場合、即ちＨｅＮＢ２２とＭＭＥとの間のサービスベアラが直接的に接続する場合に、ＭＭＥは、ＨｅＮＢ２２のベアラタイプを知ることができなく、ＭＭＥがＩＰＶ６アドレスを割り当てるが、ＨｅＮＢがＩＰＶ４しかサポートしていなければ、ＨｅＮＢ２２とＭＭＥとの間のサービスベアラは成功に確立することができない。
【発明の概要】
【発明が解決しようとする課題】
【０００７】
従来の技術的課題を解決するために、本発明の実施例は、ハイブリッドネットワーキングを実現する方法、システム、装置、及びコンピュータ記憶媒体を提供し、ＬＴＥ規格に基づくハイブリッドネットワーキングにおいてフェムトセルがサービスベアラを確立することができない問題を解決することができる。
【課題を解決するための手段】
【０００８】
上記目的を達成するために、本発明の実施例の技術的手段は、下記のように実現される。
【０００９】
本発明の実施例は、フェムトセルに適用されるハイブリッドネットワーキングを実現する方法を提供し、前記方法は、
フェムトセルは、所属するインターネットプロトコルＩＰタイプをフェムトセルゲートウェイに送信することと、
前記フェムトセルは、前記フェムトセルゲートウェイが送信したＩＰアドレスを取得し、前記ＩＰアドレスに基づいてサービスベアラを確立することと、を含む。
【００１０】
他の実施例において、前記フェムトセルが、所属するＩＰタイプをフェムトセルゲートウェイに送信することは、
前記フェムトセルは、所属するＩＰタイプをＳ１メッセージにより前記フェムトセルゲートウェイに送信することを含む。
【００１１】
他の実施例において、前記Ｓ１メッセージは、Ｓ１インタフェース公衆メッセージであり、前記Ｓ１インタフェース公衆メッセージは、Ｓ１確立要求、基地局設定更新のうちの１つである。
【００１２】
他の実施例において、前記Ｓ１メッセージは、Ｓ１インタフェースＵＥ専用メッセージであり、前記Ｓ１インタフェースＵＥ専用メッセージは、ＵＥメッセージ初期化、パス切替要求のうちの１つである。
【００１３】
本発明の実施例は、フェムトセルゲートウェイに適用されるハイブリッドネットワーキングを実現する方法を更に提供し、前記方法は、
フェムトセルゲートウェイは、フェムトセルが所属するＩＰタイプを取得し、移動管理エンティティＭＭＥが送信したＩＰＶ４アドレス及び/又はＩＰＶ６アドレスを取得することと、
前記フェムトセルゲートウェイは、前記フェムトセルが所属するＩＰタイプにマッチングするＩＰアドレスをフェムトセルに送信することと、を含む。
【００１４】
他の実施例において、前記フェムトセルゲートウェイが、前記ＩＰタイプにマッチングするＩＰアドレスをフェムトセルに送信することは、
前記フェムトセルゲートウェイは、ＭＭＥが送信したＩＰＶ４アドレス及びＩＰＶ６アドレスを受信することと、
前記フェムトセルが所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセルに送信することと、を含む。
【００１５】
他の実施例において、前記フェムトセルゲートウェイが、前記ＩＰタイプにマッチングするＩＰアドレスをフェムトセルに送信することは、
前記フェムトセルゲートウェイは、前記フェムトセルが所属するＩＰタイプをＭＭＥに送信することと、
前記フェムトセルゲートウェイは、前記ＭＭＥが送信した、前記ＩＰタイプにマッチングするＩＰＶ４アドレス又はＩＰＶ６アドレスを受信し、前記ＩＰＶ４アドレス又はＩＰＶ６アドレスをフェムトセルに送信することと、を含む。
【００１６】
本発明の実施例は、ＭＭＥに適用されるハイブリッドネットワーキングを実現する方法を更に提供し、前記方法は、
ＭＭＥは、割り当てられたＩＰＶ４アドレス及びＩＰＶ６アドレスを取得することと、
前記ＭＭＥは、フェムトセルゲートウェイにＩＰＶ４アドレス及び/又はＩＰＶ６アドレスを送信することと、を含む。
【００１７】
他の実施例において、前記ＭＭＥが、フェムトセルゲートウェイにＩＰＶ４アドレス及び/又はＩＰＶ６アドレスを送信することは、
前記ＭＭＥは、前記割り当てられたＩＰＶ４アドレス及びＩＰＶ６アドレスを前記フェムトセルゲートウェイに送信することを含む。
【００１８】
他の実施例において、前記ＭＭＥが、フェムトセルゲートウェイにＩＰＶ４アドレス及び/又はＩＰＶ６アドレスを送信することは、
前記ＭＭＥは、前記フェムトセルゲートウェイが送信した、フェムトセルが所属するＩＰタイプを受信することと、
前記ＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記フェムトセルゲートウェイに送信することと、を含む。
【００１９】
本発明の実施例は、ハイブリッドネットワーキングを実現する方法を更に提供し、前記方法は、
フェムトセルは、所属するＩＰタイプをフェムトセルゲートウェイに送信することと、
前記フェムトセルゲートウェイは、フェムトセルが所属するＩＰタイプを取得し、ＭＭＥが送信したＩＰＶ４アドレス及び/又はＩＰＶ６アドレスを取得し、前記フェムトセルが所属するＩＰタイプにマッチングするＩＰアドレスを前記フェムトセルに送信することと、
前記フェムトセルは、前記フェムトセルゲートウェイが送信したＩＰアドレスを取得し、前記ＩＰアドレスに基づいてサービスベアラを確立することと、を含む。
【００２０】
他の実施例において、前記フェムトセルゲートウェイが、ＭＭＥの送信したＩＰＶ４アドレス及び/又はＩＰＶ６アドレスを取得し、前記フェムトセルが所属するＩＰタイプにマッチングするＩＰアドレスを前記フェムトセルに送信することは、
前記ＭＭＥは、割り当てられたＩＰＶ４アドレス及びＩＰＶ６アドレスを前記フェムトセルゲートウェイに送信することと、
前記フェムトセルゲートウェイは、前記ＭＭＥが送信したＩＰＶ４アドレス及びＩＰＶ６アドレスを受信し、前記フェムトセルが所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセルに送信することと、を含む。
【００２１】
他の実施例において、前記フェムトセルゲートウェイが、ＭＭＥの送信したＩＰＶ４アドレス及び/又はＩＰＶ６アドレスを取得し、前記フェムトセルが所属するＩＰタイプにマッチングするＩＰアドレスを前記フェムトセルに送信することは、
前記フェムトセルゲートウェイは、前記フェムトセルが所属するＩＰタイプをＭＭＥに送信することと、
前記ＭＭＥは、前記フェムトセルゲートウェイが送信した、前記フェムトセルが所属するＩＰタイプを受信し、前記ＩＰタイプに基づいて、割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記フェムトセルゲートウェイに送信することと、
前記フェムトセルゲートウェイは、前記ＭＭＥが送信した、前記ＩＰタイプにマッチングするＩＰＶ４アドレス又はＩＰＶ６アドレスを受信し、前記ＩＰＶ４アドレス又はＩＰＶ６アドレスをフェムトセルに送信することと、を含む。
【００２２】
本発明の実施例は、第１処理ユニット、第１送信ユニット、及び第１受信ユニットを含むフェムトセルを更に提供し、
前記第１送信ユニットは、所属するＩＰタイプをフェムトセルゲートウェイに送信するように設定され、
前記第１受信ユニットは、前記フェムトセルゲートウェイが送信したＩＰアドレスを取得するように設定され、
前記第１処理ユニットは、前記第１受信ユニットが取得した前記ＩＰアドレスに基づいてサービスベアラを確立するように設定される。
【００２３】
他の実施例において、前記第１送信ユニットは、所属するＩＰタイプをＳ１メッセージにより前記フェムトセルゲートウェイに送信するように設定される。
【００２４】
本発明の実施例は、第２受信ユニット及び第２送信ユニットを含むフェムトセルゲートウェイを更に提供し、
前記第２受信ユニットは、フェムトセルが所属するＩＰタイプを受信するように設定され、ＭＭＥが送信したＩＰＶ４アドレス及び/又はＩＰＶ６アドレスを受信するように更に設定され、
前記第２送信ユニットは、前記第２受信ユニットが受信した、前記フェムトセルが所属するＩＰタイプにマッチングするＩＰアドレスをフェムトセルに送信するように設定される。
【００２５】
他の実施例において、前記フェムトセルゲートウェイは、第２処理ユニットを更に含み、
前記第２受信ユニットは更に、ＭＭＥが送信したＩＰＶ４アドレス及びＩＰＶ６アドレスを受信し、前記ＩＰＶ４アドレス及びＩＰＶ６アドレスを前記第２処理ユニットに送信するように設定され、
前記第２処理ユニットは、前記第２受信ユニットが受信した、前記フェムトセルが所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記第２送信ユニットに送信するように設定され、
前記第２送信ユニットは、前記ＩＰＶ４アドレス又はＩＰＶ６アドレスをフェムトセルに送信するように設定される。
【００２６】
他の実施例において、前記第２送信ユニットは、前記第２受信ユニットが受信した、前記フェムトセルが所属するＩＰタイプをＭＭＥに送信するように更に設定され、前記第２受信ユニットが受信した前記ＩＰＶ４アドレス又はＩＰＶ６アドレスをフェムトセルに送信するように更に設定され、
前記第２受信ユニットは更に、前記ＭＭＥが送信した、前記フェムトセルが所属するＩＰタイプにマッチングするＩＰＶ４アドレス又はＩＰＶ６アドレスを受信し、前記ＩＰＶ４アドレス又はＩＰＶ６アドレスを前記第２送信ユニットに送信するように設定される。
【００２７】
本発明の実施例は、取得ユニット及び第３送信ユニットを含むＭＭＥを更に提供し、
前記取得ユニットは、割り当てられたＩＰＶ４アドレス及びＩＰＶ６アドレスを取得するように設定され、
前記第３送信ユニットは、フェムトセルゲートウェイにＩＰＶ４アドレス及び/又はＩＰＶ６アドレスを送信するように設定される。
【００２８】
他の実施例において、前記第３送信ユニットは、前記取得ユニットが取得した前記割り当てられたＩＰＶ４アドレス及びＩＰＶ６アドレスをフェムトセルゲートウェイに送信するように設定される。
【００２９】
他の実施例において、前記ＭＭＥは、第３受信ユニット及び第３処理ユニットを更に含み、
前記第３受信ユニットは、フェムトセルゲートウェイが送信した、フェムトセルが所属するＩＰタイプを受信し、前記ＩＰタイプを前記第３処理ユニットに送信するように設定され、
前記第３処理ユニットは、前記ＩＰタイプに基づいて、前記取得ユニットが取得した前記割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記第３送信ユニットに送信するように設定され、
前記第３送信ユニットは、前記ＩＰＶ４アドレス又はＩＰＶ６アドレスを前記フェムトセルゲートウェイに送信するように設定される。
【００３０】
本発明の実施例は、ハイブリッドネットワーキングを実現するシステムを更に提供し、前記システムは、フェムトセル、フェムトセルゲートウェイ、及びＭＭＥを含み、
前記フェムトセルは、所属するＩＰタイプをフェムトセルゲートウェイに送信するように設定され、前記フェムトセルゲートウェイが送信したＩＰアドレスを取得し、前記ＩＰアドレスに基づいてサービスベアラを確立するように更に設定され、
前記フェムトセルゲートウェイは、フェムトセルが送信した、前記フェムトセルが所属するＩＰタイプを取得し、ＭＭＥが送信したＩＰＶ４アドレス及び/又はＩＰＶ６アドレスを取得し、前記フェムトセルが所属するＩＰタイプにマッチングするＩＰアドレスをフェムトセルに送信するように設定され、
前記ＭＭＥは、割り当てられたＩＰＶ４アドレス及びＩＰＶ６アドレスを取得するように設定され、フェムトセルゲートウェイにＩＰＶ４アドレス及び/又はＩＰＶ６アドレスを送信するように更に設定される。
【００３１】
他の実施例において、前記ＭＭＥは、前記割り当てられたＩＰＶ４アドレス及びＩＰＶ６アドレスを前記フェムトセルゲートウェイに送信するように設定され、
前記フェムトセルゲートウェイは、前記ＭＭＥが送信したＩＰＶ４アドレス及びＩＰＶ６アドレスを受信し、前記フェムトセルが所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセルに送信するように設定される。
【００３２】
他の実施例において、前記フェムトセルゲートウェイは、前記フェムトセルが所属するＩＰタイプをＭＭＥに送信するように設定され、前記ＭＭＥが送信した、前記ＩＰタイプにマッチングするＩＰＶ４アドレス又はＩＰＶ６アドレスを受信し、前記ＩＰＶ４アドレス又はＩＰＶ６アドレスをフェムトセルに送信するように更に設定され、
前記ＭＭＥは、前記フェムトセルゲートウェイが送信した、前記フェムトセルが所属するＩＰタイプを受信し、前記ＩＰタイプに基づいて、割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記フェムトセルゲートウェイに送信するように設定される。
【００３３】
本発明の実施例は、コンピュータ記憶媒体を更に提供し、前記コンピュータ記憶媒体にはコンピュータ実行可能な指令が記憶され、前記コンピュータ実行可能な指令は、本発明の実施例に記載のフェムトセルに適用されるハイブリッドネットワーキングを実現する方法を実行するためのものである。
【００３４】
本発明の実施例は、コンピュータ記憶媒体を更に提供し、前記コンピュータ記憶媒体にはコンピュータ実行可能な指令が記憶され、前記コンピュータ実行可能な指令は、本発明の実施例に記載のフェムトセルゲートウェイに適用されるハイブリッドネットワーキングを実現する方法を実行するためのものである。
【００３５】
本発明の実施例は、コンピュータ記憶媒体を更に提供し、前記コンピュータ記憶媒体にはコンピュータ実行可能な指令が記憶され、前記コンピュータ実行可能な指令は、本発明の実施例に記載のＭＭＥに適用されるハイブリッドネットワーキングを実現する方法を実行するためのものである。
【発明の効果】
【００３６】
本発明の実施例によるハイブリッドネットワーキングを実現する方法、システム、装置、及びコンピュータ記憶媒体では、フェムトセルは、所属するＩＰタイプをフェムトセルゲートウェイに送信し、前記フェムトセルゲートウェイは、ＭＭＥが送信したＩＰＶ４アドレス及び/又はＩＰＶ６アドレスを取得し、前記フェムトセルが所属するＩＰタイプにマッチングするＩＰアドレスを前記フェムトセルに送信し、前記フェムトセルは、前記フェムトセルゲートウェイが送信したＩＰアドレスを取得し、前記ＩＰアドレスに基づいてサービスベアラを確立する。このように、ＬＴＥ規格に基づくハイブリッドネットワーキングにおいてフェムトセルがサービスベアラを確立することを実現する。
【図面の簡単な説明】
【００３７】
【図１】図１は、ＬＴＥシステムのネットワークアーキテクチャ模式図である。
【図２】図２は、ＬＴＥ規格のフェムトセルシステムネットワークエレメントアーキテクチャ模式図である。
【図３】図３は、本発明の実施例１によるハイブリッドネットワーキングを実現する方法のフロー模式図である。
【図４】図４は、本発明の実施例２によるハイブリッドネットワーキングを実現する方法のフロー模式図である。
【図５】図５は、本発明の実施例３によるハイブリッドネットワーキングを実現する方法のフロー模式図である。
【図６】図６は、本発明の実施例４によるハイブリッドネットワーキングを実現する方法のフロー模式図である。
【図７】図７は、本発明の実施例５によるハイブリッドネットワーキングを実現する方法のフロー模式図である。
【図８】図８は、本発明の実施例６によるハイブリッドネットワーキングを実現する方法のフロー模式図である。
【図９】図９は、本発明の実施例７によるハイブリッドネットワーキングを実現する方法のフロー模式図である。
【図１０】図１０は、本発明の実施例によるハイブリッドネットワーキングを実現するシステムの構成構造模式図である。
【図１１】図１１は、本発明の実施例によるフェムトセルの構成構造模式図である。
【図１２】図１２は、本発明の実施例によるフェムトセルゲートウェイの構成構造模式図である。
【図１３】図１３は、本発明の実施例によるＭＭＥの構成構造模式図である。
【発明を実施するための形態】
【００３８】
以下、図面及び具体的な実施例を参照しながら、本発明について詳しく説明する。
【００３９】
実施例１
本発明の実施例は、フェムトセルに適用されるハイブリッドネットワーキングを実現する方法を提供し、図３は、本発明の実施例１によるハイブリッドネットワーキングを実現する方法のフロー模式図であり、図３に示すように、前記方法は、下記ステップ３０１〜３０２を含む。
【００４０】
ステップ３０１： フェムトセルは、所属するＩＰタイプをフェムトセルゲートウェイに送信する。
ここで、前記所属するＩＰタイプは、前記フェムトセルがＩＰＶ４又はＩＰＶ６をサポートするものである場合、前記フェムトセルは、前記ＩＰＶ４又はＩＰＶ６のサポート状況をフェムトセルゲートウェイに送信する。
その中、前記フェムトセルは、前記ＩＰタイプを、Ｓ１メッセージにより前記フェムトセルゲートウェイに送信する。具体的に、前記Ｓ１メッセージは、Ｓ１インタフェース公衆メッセージであってもよく、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られるものでなく、前記Ｓ１メッセージは、Ｓ１インタフェースＵＥ専用メッセージであってもよく、前記Ｓ１インタフェースＵＥ専用メッセージは、ＵＥメッセージ初期化（INITIAL UE MESSAGE）、パス切替要求（PATH SWITCH REQUEST）のうちの１つであるが、上記２種類のメッセージに限られない。 
【００４１】
ステップ３０２： 前記フェムトセルは、前記フェムトセルゲートウェイが送信したＩＰアドレスを取得し、前記ＩＰアドレスに基づいてサービスベアラを確立する。
ここで、前記フェムトセルゲートウェイは、ＭＭＥが前記フェムトセルのために選択したマッチングするＩＰアドレスを前記フェムトセルに転送し、又は前記フェムトセルゲートウェイは、前記フェムトセルのＩＰタイプに基づいて、前記ＭＭＥが送信したＩＰＶ４アドレス及びＩＰＶ６アドレスからマッチングするＩＰアドレスを選択し、前記ＩＰアドレスを前記フェムトセルに送信する。
【００４２】
本発明の実施例は、コンピュータ記憶媒体を更に提供し、前記コンピュータ記憶媒体にはコンピュータ実行可能な指令が記憶され、前記コンピュータ実行可能な指令は、本発明の実施例に記載のフェムトセルに適用されるハイブリッドネットワーキングを実現する方法を実行するためのものである。
【００４３】
実施例２
本発明の実施例は、フェムトセルゲートウェイに適用されるハイブリッドネットワーキングを実現する方法を更に提供し、図４は、本発明の実施例２によるハイブリッドネットワーキングを実現する方法のフロー模式図であり、図４に示すように、前記方法は、下記ステップ４０１〜４０２を含む。
【００４４】
ステップ４０１： フェムトセルゲートウェイは、フェムトセルが所属するＩＰタイプを取得し、ＭＭＥが送信したＩＰＶ４アドレス及び/又はＩＰＶ６アドレスを取得する。
【００４５】
本実施例の１つの態様によれば、前記フェムトセルゲートウェイは、フェムトセルが送信したＩＰタイプを取得した後、前記ＩＰタイプを前記ＭＭＥに送信し、前記ＭＭＥは、前記ＩＰタイプに基づいて、前記ＩＰタイプにマッチングするＩＰＶ４アドレス又はＩＰＶ６アドレスを選択する。その中、前記フェムトセルゲートウェイは、Ｓ１インタフェースメッセージにより、前記ＩＰタイプを前記ＭＭＥに送信する。
【００４６】
本発明の実施例の他の態様によれば、前記フェムトセルゲートウェイは、フェムトセルが送信したＩＰタイプを取得した後、前記ＩＰタイプを保存し、それからＭＭＥが送信したＩＰＶ４アドレス及びＩＰＶ６アドレスを受信し、保存した前記ＩＰタイプに基づいて、前記ＩＰＶ４アドレス及びＩＰＶ６アドレスから、前記ＩＰタイプにマッチングするＩＰＶ４アドレス又はＩＰＶ６アドレスを選択する。その中、前記ＭＭＥは、Ｓ１インタフェースメッセージにより、前記ＩＰＶ４アドレス及びＩＰＶ６アドレスを前記フェムトセルゲートウェイに送信する。
【００４７】
ステップ４０２： 前記フェムトセルゲートウェイは、前記フェムトセルが所属するＩＰタイプにマッチングするＩＰアドレスをフェムトセルに送信する。
ここで、前記フェムトセルゲートウェイは、Ｓ１インタフェースメッセージにより、前記ＩＰＶ４アドレス又はＩＰＶ６アドレスを前記フェムトセルに送信する。
【００４８】
本発明の実施例は、コンピュータ記憶媒体を更に提供し、前記コンピュータ記憶媒体にはコンピュータ実行可能な指令が記憶され、前記コンピュータ実行可能な指令は、本発明の実施例に記載のフェムトセルゲートウェイに適用されるハイブリッドネットワーキングを実現する方法を実行するためのものである。
【００４９】
実施例３
本発明の実施例は、ＭＭＥに適用されるハイブリッドネットワーキングを実現する方法を更に提供し、図５は、本発明の実施例３によるハイブリッドネットワーキングを実現する方法のフロー模式図であり、図５に示すように、前記方法は、下記ステップ５０１〜５０２を含む。
【００５０】
ステップ５０１： ＭＭＥは、割り当てられたＩＰＶ４アドレス及びＩＰＶ６アドレスを取得する。
ここで、前記Ｓ-ＧＷは、ＩＰＶ４アドレスとＩＰＶ６アドレスとを含むＩＰアドレスを割り当て、前記ＩＰＶ４アドレス及びＩＰＶ６アドレスを前記ＭＭＥに送信する。
【００５１】
ステップ５０２： 前記ＭＭＥは、フェムトセルゲートウェイにＩＰＶ４アドレス及び/又はＩＰＶ６アドレスを送信する。
【００５２】
本実施例の１つの態様によれば、前記ＭＭＥは、フェムトセルゲートウェイが送信したＩＰタイプを受信し、前記ＩＰタイプに基づいて前記割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記フェムトセルゲートウェイに送信する。その中、前記ＭＭＥは、Ｓ１インタフェースメッセージにより、前記ＩＰＶ４アドレス又はＩＰＶ６アドレスを前記フェムトセルゲートウェイに送信する。
【００５３】
本実施例の他の態様によれば、前記ＭＭＥは直接、前記割り当てられたＩＰＶ４アドレス及びＩＰＶ６アドレスを前記フェムトセルゲートウェイに送信する。その中、前記ＭＭＥは、Ｓ１インタフェースメッセージにより、前記ＩＰＶ４アドレス及びＩＰＶ６アドレスを前記フェムトセルゲートウェイに送信する。
【００５４】
本発明の実施例は、コンピュータ記憶媒体を更に提供し、前記コンピュータ記憶媒体にはコンピュータ実行可能な指令が記憶され、前記コンピュータ実行可能な指令は、本発明の実施例に記載のＭＭＥに適用されるハイブリッドネットワーキングを実現する方法を実行するためのものである。
【００５５】
実施例４
本発明の実施例は、ハイブリッドネットワーキングを実現する方法を更に提供し、図６は、本発明の実施例４によるハイブリッドネットワーキングを実現する方法のフロー模式図であり、図６に示すように、前記方法は下記ステップ６０１〜６０４を含む。
【００５６】
ステップ６０１： フェムトセルは、所属するＩＰタイプをフェムトセルゲートウェイに送信する。
ここで、前記フェムトセルが所属するＩＰタイプは、前記フェムトセルがＩＰＶ４又はＩＰＶ６をサポートすることである場合、前記フェムトセルは、前記ＩＰＶ４又はＩＰＶ６のサポート状況をフェムトセルゲートウェイに送信する。
その中、前記フェムトセルは、前記ＩＰタイプを、Ｓ１メッセージにより前記フェムトセルゲートウェイに送信する。具体的に、前記Ｓ１メッセージは、Ｓ１インタフェース公衆メッセージであってもよく、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られるものでなく、前記Ｓ１メッセージは、Ｓ１インタフェースＵＥ専用メッセージであってもよく、前記Ｓ１インタフェースＵＥ専用メッセージは、ＵＥメッセージ初期化（INITIAL UE MESSAGE）、パス切替要求（PATH SWITCH REQUEST）のうちの１つであってもよいが、上記２種類のメッセージに限られない。 
【００５７】
ステップ６０２： フェムトセルゲートウェイは、フェムトセルが所属するＩＰタイプを取得し、ＭＭＥが送信したＩＰＶ４アドレス及び/又はＩＰＶ６アドレスを取得する。
【００５８】
本実施例の１つの態様によれば、前記フェムトセルゲートウェイは、フェムトセルが送信したＩＰタイプを取得した後、前記ＩＰタイプを前記ＭＭＥに送信し、前記ＭＭＥは、前記ＩＰタイプに基づいて、前記ＩＰタイプにマッチングするＩＰＶ４アドレス又はＩＰＶ６アドレスを選択する。その中、前記フェムトセルゲートウェイは、Ｓ１インタフェースメッセージにより、前記ＩＰタイプを前記ＭＭＥに送信する。
【００５９】
対応的に、前記ＭＭＥは、フェムトセルゲートウェイが送信したＩＰタイプを受信し、前記ＩＰタイプに基づいて、割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記フェムトセルゲートウェイに送信する。その中、前記ＭＭＥは、Ｓ１インタフェースメッセージにより、前記ＩＰＶ４アドレス又はＩＰＶ６アドレスを前記フェムトセルゲートウェイに送信する。
【００６０】
本発明の実施例の他の態様によれば、前記フェムトセルゲートウェイは、フェムトセルが送信したＩＰタイプを取得した後、前記ＩＰタイプを保存し、それからＭＭＥが送信したＩＰＶ４アドレス及びＩＰＶ６アドレスを受信し、保存した前記ＩＰタイプに基づいて、前記ＩＰＶ４アドレス及びＩＰＶ６アドレスから、前記ＩＰタイプにマッチングするＩＰＶ４アドレス又はＩＰＶ６アドレスを選択する。その中、前記ＭＭＥは、Ｓ１インタフェースメッセージにより、前記ＩＰＶ４アドレス及びＩＰＶ６アドレスを前記フェムトセルゲートウェイに送信する。
【００６１】
対応的に、前記ＭＭＥは直接、前記割り当てられたＩＰＶ４アドレス及びＩＰＶ６アドレスを前記フェムトセルゲートウェイに送信する。その中、前記ＭＭＥは、Ｓ１インタフェースメッセージにより、前記ＩＰＶ４アドレス及びＩＰＶ６アドレスを前記フェムトセルゲートウェイに送信する。
【００６２】
ステップ６０３： 前記フェムトセルゲートウェイは、前記フェムトセルが所属するＩＰタイプにマッチングするＩＰアドレスをフェムトセルに送信する。
ここで、前記フェムトセルゲートウェイは、Ｓ１インタフェースメッセージにより、前記ＩＰＶ４アドレス又はＩＰＶ６アドレスを前記フェムトセルに送信する。
【００６３】
ステップ６０４： 前記フェムトセルは、前記フェムトセルゲートウェイが送信したＩＰアドレスを取得し、前記ＩＰアドレスに基づいてサービスベアラを確立する。
ここで、前記フェムトセルゲートウェイは、ＭＭＥが前記フェムトセルのために選択したマッチングするＩＰアドレスを前記フェムトセルに転送し、又は前記フェムトセルゲートウェイは、前記フェムトセルのＩＰタイプに基づいて、前記ＭＭＥが送信したＩＰＶ４アドレス及びＩＰＶ６アドレスからマッチングするＩＰアドレスを選択し、前記ＩＰアドレスを前記フェムトセルに送信する。
【００６４】
以下の実施例５〜７では、フェムトセルがＨｅＮＢであり、フェムトセルゲートウェイがＨｅＮＢ ＧＷであることを例として、本発明の実施例について詳しく説明する。
【００６５】
実施例５
本発明の実施例は、ハイブリッドネットワーキングを実現する方法を更に提供し、図７は、本発明の実施例５によるハイブリッドネットワーキングを実現する方法のフロー模式図であり、図７に示すように、前記方法は、下記ステップ７０１〜７０５を含む。
【００６６】
ステップ７０１： ＨｅＮＢは、所在するネットワークのＩＰタイプをＳ１インタフェース公衆メッセージによりＨｅＮＢ ＧＷに送信する。
ここで、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られない。その中、前記Ｓ１インタフェース公衆メッセージにより前記ＩＰタイプを含み、前記ＩＰタイプをＨｅＮＢ ＧＷに送信する。
その中、前記ＩＰタイプは、前記ＨｅＮＢがＩＰＶ４をサポートするか或いはＩＰＶ６をサポートするかである。
【００６７】
ステップ７０２： ＨｅＮＢは、ＨｅＮＢのＩＰタイプを、アップリンクＳ１インタフェース公衆メッセージに含んでＭＭＥに送信する。
ここで、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られない。その中、前記Ｓ１インタフェース公衆メッセージにより、前記ＨｅＮＢ ＧＷに接続し
たＨｅＮＢの識別子情報を含み、前記ＨｅＮＢの識別子情報は、ＨｅＮＢグローバルＩＤ及びＨｅＮＢがサポートするＩＰタイプを含んでもよく、前記ＩＰタイプは、前記ＨｅＮＢがＩＰＶ４をサポートするか或いはＩＰＶ６をサポートするかを表す。
【００６８】
ステップ７０３： ＭＭＥは、前記ＩＰタイプに基づいて、前記ＩＰタイプにマッチングするＩＰアドレスを選択して、ダウンリンクＳ１インタフェースメッセージにおいてＨｅＮＢ ＧＷに送信する。
ここで、前記ＭＭＥは、前記ＨｅＮＢがＩＰＶ４をサポートするか或いはＩＰＶ６をサポートするかのＩＰタイプに基づいて、前記ＩＰタイプにマッチングするＩＰＶ４アドレス又はＩＰＶ６アドレスを選択し、前記ＩＰＶ４アドレス又はＩＰＶ６アドレスをＨｅＮＢ ＧＷに送信する。
【００６９】
ステップ７０４： ＨｅＮＢ ＧＷは、割り当てられたＩＰアドレスをＨｅＮＢに転送する。
ここで、前記ＨｅＮＢ ＧＷは、Ｓ１インタフェースメッセージにより、前記ＩＰＶ４アドレス又はＩＰＶ６アドレスをＨｅＮＢに送信する。
【００７０】
ステップ７０５： ＨｅＮＢは、受信したＩＰアドレスに基づいてサービスベアラを確立する。
【００７１】
実施例６
本発明の実施例は、ハイブリッドネットワーキングを実現する方法を更に提供し、図８は、本発明の実施例６によるハイブリッドネットワーキングを実現する方法のフロー模式図であり、図８に示すように、前記方法は、下記ステップ８０１〜８０５を含む。
【００７２】
ステップ８０１： ＨｅＮＢは、所在するネットワークのＩＰタイプを、Ｓ１インタフェースＵＥ専用メッセージによりＨｅＮＢ ＧＷに送信する。
ここで、前記Ｓ１インタフェースＵＥ専用メッセージは、ＵＥメッセージ初期化（INITIAL UE MESSAGE）、パス切替要求（PATH SWITCH REQUEST）のうちの１つであるが、上記２種類のメッセージに限られない。その中、前記Ｓ１インタフェースＵＥ専用メッセージにより前記ＩＰタイプを含み、前記ＩＰタイプをＨｅＮＢ ＧＷに送信する。
その中、前記ＩＰタイプは、前記ＨｅＮＢがＩＰＶ４をサポートするか或いはＩＰＶ６をサポートするかである。
【００７３】
ステップ８０２： ＨｅＮＢ ＧＷは、ＨｅＮＢのＩＰタイプをアップリンクＳ１インタフェースＵＥ専用メッセージに含んでＭＭＥに送信する。
ここで、前記Ｓ１インタフェースＵＥ専用メッセージは、ＵＥメッセージ初期化（INITIAL UE MESSAGE）、パス切替要求（PATH SWITCH REQUEST）のうちの１つであるが、上記２種類のメッセージに限られない。その中、前記Ｓ１インタフェースＵＥ専用メッセージにより、前記ＨｅＮＢ ＧＷに接続したＨｅＮＢの識別子情報を含み、前記ＨｅＮＢの識別子情報は、ＨｅＮＢグローバルＩＤ及びＨｅＮＢがサポートするＩＰタイプを含んでもよく、前記ＩＰタイプは、前記ＨｅＮＢがＩＰＶ４をサポートするか或いはＩＰＶ６をサポートするかを表す。
【００７４】
ステップ８０３： ＭＭＥは、前記ＩＰタイプに基づいて、前記ＩＰタイプにマッチングするＩＰアドレスを選択して、ダウンリンクメッセージにおいてＨｅＮＢ ＧＷに送信する。
ここで、前記ＭＭＥは、前記ＨｅＮＢがＩＰＶ４をサポートするか或いはＩＰＶ６をサポートするかのＩＰタイプに基づいて、前記ＩＰタイプにマッチングするＩＰＶ４アドレス又はＩＰＶ６アドレスを選択し、前記ＩＰＶ４アドレス又はＩＰＶ６アドレスをＨｅＮＢ ＧＷに送信する。
【００７５】
ステップ８０４： ＨｅＮＢ ＧＷは、割り当てられたＩＰアドレスをＨｅＮＢに転送する。
ここで、前記ＨｅＮＢ ＧＷは、Ｓ１インタフェースメッセージにより、前記ＩＰＶ４アドレス又はＩＰＶ６アドレスをＨｅＮＢに送信する。
【００７６】
ステップ８０５： ＨｅＮＢは、受信したＩＰアドレスに基づいてサービスベアラを確立する。
【００７７】
実施例７
本発明の実施例は、ハイブリッドネットワーキングを実現する方法を更に提供し、図９は、本発明の実施例７によるハイブリッドネットワーキングを実現する方法のフロー模式図であり、図９に示すように、前記方法は、下記ステップ９０１〜９０６を含む。
【００７８】
ステップ９０１： ＨｅＮＢは、所在するネットワークのＩＰタイプを、Ｓ１インタフェース公衆メッセージによりＨｅＮＢ ＧＷに送信する。
ここで、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られない。その中、前記Ｓ１インタフェース公衆メッセージにより前記ＩＰタイプを含み、前記ＩＰタイプをＨｅＮＢ ＧＷに送信する。
その中、前記ＩＰタイプは、前記ＨｅＮＢがＩＰＶ４をサポートするか或いはＩＰＶ６をサポートするかである。
【００７９】
ステップ９０２： ＨｅＮＢ ＧＷは、前記ＩＰタイプを保存する。
【００８０】
ステップ９０３： ＭＭＥは、Ｓ-ＧＷが割り当てたＩＰＶ４アドレス及びＩＰＶ６アドレスを、ダウンリンクメッセージにおいてＨｅＮＢ ＧＷに送信する。
ここで、前記ＭＭＥは、ダウンリンクＳ１インタフェースメッセージにより、前記ＩＰＶ４アドレス及びＩＰＶ６アドレスを前記ＨｅＮＢ ＧＷに送信する。
【００８１】
ステップ９０４： ＨｅＮＢ ＧＷは、保存したＨｅＮＢのＩＰタイプに基づいて、ＭＭＥが送信したＩＰＶ４アドレス及びＩＰＶ６アドレスから、前記ＩＰタイプにマッチングするＩＰＶ４アドレス又はＩＰＶ６アドレスを選択する。
ここで、前記ＨｅＮＢ ＧＷは、前記ＨｅＮＢがＩＰＶ４をサポートするか或いはＩＰＶ６をサポートするかのＩＰタイプに基づいて、前記ＩＰタイプにマッチングするＩＰＶ４アドレス又はＩＰＶ６アドレスを選択する。
【００８２】
ステップ９０５： 前記ＩＰＶ４アドレス又はＩＰＶ６アドレスをＨｅＮＢに送信する。
ここで、前記ＨｅＮＢ ＧＷは、Ｓ１インタフェースメッセージにより、前記ＩＰＶ４アドレス又はＩＰＶ６アドレスをＨｅＮＢに送信する。
【００８３】
ステップ９０６： ＨｅＮＢは、受信したＩＰアドレスに基づいてサービスベアラを確立する。
【００８４】
実施例８
本発明の実施例は、ハイブリッドネットワーキングを実現するシステムを更に提供する。図１０は、本発明の実施例によるハイブリッドネットワーキングを実現するシステムの構成構造模式図であり、図１０に示すように、前記システムは、フェムトセル１００１、フェムトセルゲートウェイ１００２、及びＭＭＥ１００３を含む。
前記フェムトセル１００１は、所属するＩＰタイプをフェムトセルゲートウェイ１００２に送信するように設定され、前記フェムトセルゲートウェイ１００２が送信したＩＰアドレスを取得し、前記ＩＰアドレスに基づいてサービスベアラを確立するように更に設定され、
前記フェムトセルゲートウェイ１００２は、フェムトセル１００１が送信した、前記フェムトセルが所属するＩＰタイプを取得し、ＭＭＥ１００３が送信したＩＰＶ４アドレス及び/又はＩＰＶ６アドレスを取得し、前記フェムトセルが所属するＩＰタイプにマッチングするＩＰアドレスをフェムトセル１００１に送信するように設定され、
前記ＭＭＥ１００３は、割り当てられたＩＰＶ４アドレス及びＩＰＶ６アドレスを取得するように設定され、フェムトセルゲートウェイ１００２にＩＰＶ４アドレス及び/又はＩＰＶ６アドレスを送信するように更に設定される。
【００８５】
具体的に、前記フェムトセル１００１は、前記ＩＰタイプを、Ｓ１メッセージにより前記フェムトセルゲートウェイ１００２に送信するように設定される。具体的に、前記Ｓ１メッセージは、Ｓ１インタフェース公衆メッセージであってもよく、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られるものでなく、前記Ｓ１メッセージは、Ｓ１インタフェースＵＥ専用メッセージであってもよく、前記Ｓ１インタフェースＵＥ専用メッセージは、ＵＥメッセージ初期化（INITIAL UE MESSAGE）、パス切替要求（PATH SWITCH REQUEST）のうちの１つであるが、上記２種類のメッセージに限られない。
【００８６】
本実施例の１つの態様によれば、前記フェムトセルゲートウェイ１００２は、フェムトセル１００１が送信したＩＰタイプを取得するように設定され、ＭＭＥ１００３が送信したＩＰＶ４アドレス及びＩＰＶ６アドレスを受信し、前記フェムトセル１００１が所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセル１００１に送信するように更に設定される。
【００８７】
対応的に、前記ＭＭＥ１００３は、割り当てられたＩＰＶ４アドレス及びＩＰＶ６アドレスを、直接、フェムトセルゲートウェイ１００２に送信するように設定される。
【００８８】
本実施例の他の態様によれば、前記フェムトセルゲートウェイ１００２は、フェムトセル１００１が送信した、前記フェムトセル１００１が所属するＩＰタイプを取得し、前記ＩＰタイプをＭＭＥ１００３に送信するように設定され、前記ＭＭＥ１００３が送信した、前記ＩＰタイプにマッチングするＩＰＶ４アドレス又はＩＰＶ６アドレスを受信し、前記ＩＰＶ４アドレス又はＩＰＶ６アドレスをフェムトセル１００１に送信するように更に設定される。
【００８９】
対応的に、前記ＭＭＥ１００３は、前記フェムトセルゲートウェイ１００２が送信した、前記フェムトセル１００１が所属するＩＰタイプを受信し、前記ＩＰタイプに基づいて、割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記フェムトセルゲートウェイ１００２に送信するように設定される。
【００９０】
実施例９
本発明の実施例は、フェムトセルを更に提供し、図１１は、本発明の実施例によるフェムトセルの構成構造模式図であり、図１１に示すように、前記フェムトセルは、第１処理ユニット１１０１、第１送信ユニット１１０２、及び第１受信ユニット１１０３を含む。
前記第１送信ユニット１１０２は、所属するＩＰタイプをフェムトセルゲートウェイに送信するように設定され、
前記第1受信ユニット１１０３は、前記フェムトセルゲートウェイが送信したＩＰアドレスを取得するように設定され、
前記第１処理ユニット１１０１は、前記第１受信ユニット１１０３が取得した前記ＩＰアドレスに基づいてサービスベアラを確立するように設定される。
【００９１】
具体的に、前記第１送信ユニット１１０２は、前記ＩＰタイプを、Ｓ１メッセージにより前記フェムトセルゲートウェイに送信するように設定される。前記Ｓ１メッセージは、Ｓ１インタフェース公衆メッセージであってもよく、前記Ｓ１インタフェース公衆メッセージは、Ｓ１確立要求（SETUP REQUEST）、基地局設定更新（ENB CONFIGURATION UPDATE）のうちの１つであってもよいが、上記２種類のメッセージに限られるものでなく、前記Ｓ１メッセージは、Ｓ１インタフェースＵＥ専用メッセージであってもよく、前記Ｓ１インタフェースＵＥ専用メッセージは、ＵＥメッセージ初期化（INITIAL UE MESSAGE）、パス切替要求（PATH SWITCH REQUEST）のうちの１つであるが、上記２種類のメッセージに限られない。
【００９２】
当業者が理解できるように、本発明の実施例によるフェムトセルにおける各処理ユニットの機能については、前記ハイブリッドネットワーキングを実現する方法の関連記載を参照して理解でき、本発明の実施例におけるフェムトセルにおける各処理ユニットは、本発明の実施例に記載の機能を実現するアナログ回路により実現されてもよく、本発明の実施例に記載の機能を実行するソフトウェアのインテリジェント端末での動作により実現されてもよい。
【００９３】
本実施例において、前記フェムトセルにおける第１処理ユニット１１０１は、実際の適用において、前記フェムトセルにおける中央処理装置（ＣＰＵ、Central Processing Unit）、デジタルシグナルプロセッサ（ＤＳＰ、Digital Signal Processor）、又はフィールドプログラマブルゲートアレイ（ＦＰＧＡ、Field−Programmable Gate Array）により実現されることができ、前記フェムトセルにおける第１送信ユニット１１０２は、実際の適用において、前記フェムトセルにおける送信機又はランチャーにより実現されることができ、前記フェムトセルにおける第１受信ユニット１１０３は、実際の適用において、前記フェムトセルにおける受信機又はレシーバーにより実現されることができる。
【００９４】
実施例１０
本発明の実施例は、フェムトセルゲートウェイを更に提供し、図１２は、本発明の実施例によるフェムトセルゲートウェイの構成構造模式図であり、図１２に示すように、前記フェムトセルゲートウェイは、第２受信ユニット１２０１及び第２送信ユニット１２０２を含む。
前記第２受信ユニット１２０１は、フェムトセルが所属するＩＰタイプを受信するように設定され、ＭＭＥが送信したＩＰＶ４アドレス及び/又はＩＰＶ６アドレスを受信するように更に設定され、
前記第２送信ユニット１２０２は、前記第２受信ユニット１２０１が受信した、前記フェムトセルが所属するＩＰタイプにマッチングするＩＰアドレスを、フェムトセルに送信するように設定される。
【００９５】
本実施例の１つの態様によれば、前記フェムトセルゲートウェイは、第２処理ユニット１２０３を更に含み、
前記第２受信ユニット１２０１は更に、ＭＭＥが送信したＩＰＶ４アドレス及びＩＰＶ６アドレスを受信し、前記ＩＰＶ４アドレス及びＩＰＶ６アドレスを前記第２処理ユニット１２０３に送信するように設定され、
前記第２処理ユニット１２０３は、前記第２受信ユニット１２０１が受信した、前記フェムトセルが所属するＩＰタイプに基づいて前記ＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記第２送信ユニット１２０２に送信するように設定され、
前記第２送信ユニット１２０２は、前記ＩＰＶ４アドレス又はＩＰＶ６アドレスをフェムトセルに送信するように設定される。
【００９６】
本実施例の他の態様によれば、前記第２送信ユニット１２０２は、前記第２受信ユニット１２０１が受信した、前記フェムトセルが所属するＩＰタイプをＭＭＥに送信するように更に設定され、前記第２受信ユニット１２０１が受信した前記ＩＰＶ４アドレス又はＩＰＶ６アドレスをフェムトセルに送信するように更に設定され、
前記第２受信ユニット１２０１は更に、前記ＭＭＥが送信した、前記フェムトセルが所属するＩＰタイプにマッチングするＩＰＶ４アドレス又はＩＰＶ６アドレスを受信し、前記ＩＰＶ４アドレス又はＩＰＶ６アドレスを前記第２送信ユニット１２０２に送信するように設定される。
【００９７】
当業者が理解できるように、本発明の実施例によるフェムトセルゲートウェイにおける各処理ユニットの機能については、前記ハイブリッドネットワーキングを実現する方法の関連記載を参照して理解でき、本発明の実施例におけるフェムトセルゲートウェイにおける各処理ユニットは、本発明の実施例に記載の機能を実現するアナログ回路により実現されてもよく、本発明の実施例に記載の機能を実行するソフトウェアのインテリジェント端末での動作により実現されてもよい。
【００９８】
本実施例において、前記フェムトセルゲートウェイにおける第２処理ユニット１２０３は、実際の適用において、前記フェムトセルゲートウェイにおけるＣＰＵ、ＤＳＰ、又はＦＰＧＡにより実現されることができ、前記フェムトセルゲートウェイにおける第２送信ユニット１２０２は、実際の適用において、前記フェムトセルゲートウェイにおける送信機又はランチャーにより実現されることができ、前記フェムトセルゲートウェイにおける第２受信ユニット１２０１は、実際の適用において、前記フェムトセルゲートウェイにおける受信機又はレシーバーにより実現されることができる。
【００９９】
実施例１１
本発明の実施例は、ＭＭＥを更に提供し、図１３は、本発明の実施例によるＭＭＥの構成構造模式図であり、図１３に示すように、前記ＭＭＥは、取得ユニット１３０１及び第３送信ユニット１３０２を含む。
前記取得ユニット１３０１は、割り当てられたＩＰＶ４アドレス及びＩＰＶ６アドレスを取得するように設定され、
前記第３送信ユニット１３０２は、フェムトセルゲートウェイにＩＰＶ４アドレス及び/又はＩＰＶ６アドレスを送信するように設定される。
【０１００】
本実施例の１つの態様によれば、前記第３送信ユニット１３０２は、前記取得ユニット１３０１が取得した前記割り当てられたＩＰＶ４アドレス及びＩＰＶ６アドレスを、フェムトセルゲートウェイに送信するように設定される。
【０１０１】
本実施例の他の態様によれば、前記ＭＭＥは、第３受信ユニット１３０３及び第３処理ユニット１３０４を更に含み、
前記第３受信ユニット１３０３は、フェムトセルゲートウェイが送信した、フェムトセルが所属するＩＰタイプを受信し、前記ＩＰタイプを前記第３処理ユニット１３０４に送信するように設定され、
前記第３処理ユニット１３０４は、前記ＩＰタイプに基づいて、前記取得ユニット１３０１が取得した前記割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスを前記第３送信ユニット１３０２に送信するように設定され、
前記第３送信ユニット１３０２は、前記ＩＰＶ４アドレス又はＩＰＶ６アドレスを前記フェムトセルゲートウェイに送信するように設定される。
【０１０２】
当業者が理解できるように、本発明の実施例によるＭＭＥにおける各処理ユニットの機能については、前記ハイブリッドネットワーキングを実現する方法の関連記載を参照して理解でき、本発明の実施例におけるＭＭＥにおける各処理ユニットは、本発明の実施例に記載の機能を実現するアナログ回路により実現されてもよく、本発明の実施例に記載の機能を実行するソフトウェアのインテリジェント端末での動作により実現されてもよい。
【０１０３】
本実施例において、前記ＭＭＥにおける第３処理ユニット１３０４は、実際の適用において、前記ＭＭＥにおけるＣＰＵ、ＤＳＰ又はＦＰＧＡにより実現されることができ、前記ＭＭＥにおける第３送信ユニット１３０２は、実際の適用において、前記ＭＭＥにおける送信機又はランチャーにより実現されることができ、前記ＭＭＥにおける第３受信ユニット１３０３及び取得ユニット１３０１は、実際の適用において、いずれも前記ＭＭＥにおける受信機又はレシーバーにより実現されることができる。
【０１０４】
当業者は、本発明の実施例が、方法、システム、又はコンピュータプログラム製品として提供されることができることを理解すべきである。従って、本発明はハードウェアの実施例、ソフトウェアの実施例、又はソフトウェアとハードウェアとの組合せの実施例の形態を採用できる。そして、本発明はコンピュータ使用可能なプログラムコードが含まれる１つ又は複数のコンピュータ使用可能な記憶媒体（ディスク記憶装置と光記憶装置を含むがこれらに限定されない）において実施されたコンピュータプログラム製品の形態を採用できる。
【０１０５】
本発明は、本発明の実施例による方法、装置（システム）、及びコンピュータプログラム製品のフロー図及び/又はブロック図を参照して記載されるものである。コンピュータプログラム指令により、フロー図及び/又はブロック図における各フロー及び/又はブロック、及びフロー図及び/又はブロック図におけるフロー及び/又はブロックの組合せを実現できることを理解すべきである。これらのコンピュータプログラム指令を汎用コンピュータ、専用コンピュータ、組込みプロセッサ、又は他のプログラマブルデータ処理装置のプロセッサに提供して１つの機器を作り出すことができ、これにより、コンピュータ又は他のプログラマブルデータ処理装置のプロセッサにより実行される指令により、フロー図における１つのフロー又は複数のフロー及び/又はブロック図における１つのブロック又は複数のブロックにおいて指定された機能を実現するための装置を作り出す。
【０１０６】
これらのコンピュータプログラム指令は、コンピュータ又は他のプログラマブルデータ処理装置を特定方式により作動するように導くことができるコンピュータ読み取り可能な記憶装置に記憶されることもでき、これにより、該コンピュータ読み取り可能な記憶装置に記憶される指令は指令装置を含む製造品を作り出し、該指令装置はフロー図における１つのフロー又は複数のフロー及び/又はブロック図における１つのブロック又は複数のブロックにおいて指定された機能を実現する。
【０１０７】
これらのコンピュータプログラム指令は、コンピュータ又は他のプログラマブルデータ処理装置にインストールされることもでき、これにより、コンピュータ又は他のプログラマブルデータ処理装置において一連の操作ステップを実行してコンピュータが実現した処理を作り出し、更にコンピュータ又は他のプログラマブルデータ処理装置において実行された指令は、フロー図における１つのフロー又は複数のフロー及び/又はブロック図における１つのブロック又は複数のブロックにおいて指定された機能を実現するためのステップを提供する。
【０１０８】
上記は本発明の好ましい実施例だけであり、本発明の保護範囲を限定するためのものではない。
【産業上の利用可能性】
【０１０９】
本発明の実施例では、フェムトセルゲートウェイは、フェムトセルが所属するＩＰタイプに基づいて、割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセルに送信し、又は、ＭＭＥは、フェムトセルが所属するＩＰタイプに基づいて、割り当てられたＩＰＶ４アドレス及びＩＰＶ６アドレスから、前記ＩＰタイプにマッチングするＩＰＶ４アドレス又はＩＰＶ６アドレスを選択し、前記ＩＰＶ４アドレス又はＩＰＶ６アドレスをフェムトセルゲートウェイによりフェムトセルに送信し、このように、ＬＴＥ規格に基づくハイブリッドネットワーキングにおいてフェムトセルがサービスベアラを確立することを実現する。
【図１】
0006452800.tif 000002
【図２】
0006452800.tif 000003
【図３】
0006452800.tif 000004
【図４】
0006452800.tif 000005
【図５】
0006452800.tif 000006
【図６】
0006452800.tif 000007
【図７】
0006452800.tif 000008
【図８】
0006452800.tif 000009
【図９】
0006452800.tif 000010
【図１０】
0006452800.tif 000011
【図１１】
0006452800.tif 000012
【図１２】
0006452800.tif 000013
【図１３】
0006452800.tif 000014